(57)【特許請求の範囲】
【請求項１】
ＩＴＵ−Ｔ勧告Ｔ.３８準拠のリアルタイムインターネットファクシミリ通信を行なうファクシミリゲートウェイにおいて、
相手ゲートウェイまたはファクシミリ装置からインターネットファクシミリプロトコルまたはＧ３手順により受信した手順信号のリアルタイムインターネットファクシミリ通信のサポートの有無に関するビットをリアルタイムインターネットファクシミリ通信のサポート有りの状態に強制的に変換した上、Ｇ３手順またはインターネットファクシミリプロトコルによりファクシミリ装置または相手ゲートウェイに送信する制御手段を有することを特徴とするファクシミリゲートウェイ。
【請求項２】
前記手順信号がＤＩＳ／ＤＣＳ／ＤＴＣ信号のいずれかであり、前記リアルタイムインターネットファクシミリ通信のサポートの有無に関するビットが当該信号のＦＩＦのビット３であることを特徴とする請求項１に記載のファクシミリゲートウェイ。
【請求項３】
ＩＴＵ−Ｔ勧告Ｔ.３８準拠のリアルタイムインターネットファクシミリ通信を行なうファクシミリゲートウェイの制御方法において、
相手ゲートウェイまたはファクシミリ装置からインターネットファクシミリプロトコルまたはＧ３手順により受信した手順信号のリアルタイムインターネットファクシミリ通信のサポートの有無に関するビットをリアルタイムインターネットファクシミリ通信のサポート有りの状態に強制的に変換した上、Ｇ３手順またはインターネットファクシミリプロトコルによりファクシミリ装置または相手ゲートウェイに送信する制御工程を含むことを特徴とするファクシミリゲートウェイの制御方法。
【請求項４】
前記手順信号がＤＩＳ／ＤＣＳ／ＤＴＣ信号のいずれかであり、前記リアルタイムインターネットファクシミリ通信のサポートの有無に関するビットが当該信号のＦＩＦのビット３であることを特徴とする請求項３に記載のファクシミリゲートウェイの制御方法。
【請求項５】
ＩＴＵ−Ｔ勧告Ｔ.３８準拠のリアルタイムインターネットファクシミリ通信を行なうファクシミリゲートウェイの制御プログラムにおいて、相手ゲートウェイまたはファクシミリ装置からインターネットファクシミリプロトコルまたはＧ３手順により受信した手順信号のリアルタイムインターネットファクシミリ通信のサポートの有無に関するビットをリアルタイムインターネットファクシミリ通信のサポート有りの状態に強制的に変換した上、Ｇ３手順またはインターネットファクシミリプロトコルによりファクシミリ装置または相手ゲートウェイに送信する制御工程を含むことを特徴とするファクシミリゲートウェイの制御プログラム。
【請求項６】
前記手順信号がＤＩＳ／ＤＣＳ／ＤＴＣ信号のいずれかであり、前記リアルタイムインターネットファクシミリ通信のサポートの有無に関するビットが当該信号のＦＩＦのビット３であることを特徴とする請求項５に記載のファクシミリゲートウェイの制御プログラム。
【発明の詳細な説明】
【０００１】
【発明の属する技術分野】
本発明は、ＩＴＵ−Ｔ勧告Ｔ.３８準拠のリアルタイムインターネットファクシミリ通信を行なうファクシミリゲートウェイ、その制御方法、およびその制御プログラムに関するものである。
【０００２】
【従来の技術】
近年のインターネットの普及には目覚ましいものがあり、ファクシミリ装置でも種々の方法でネットワーク通信技術を応用する技術が提案されている。
【０００３】
その１つとして、ＩＴＵ−Ｔ勧告Ｔ.３８に記載されたいわゆるリアルタイムインターネットファクシミリ通信がある。同勧告に記載されている通信は、図１に示すようにＩＰネットワーク（インターネットあるいはイントラネット）１０６に接続されたファクシミリゲートウェイ（Ａ、Ｂ）１０４、１０８を介してファクシミリ装置（Ａ、Ｂ）１００と１１２を通信させるものである。
【０００４】
ファクシミリ装置（Ａ、Ｂ）１００、１１２は、ＰＳＴＮ（一般公衆回線）１０２、１１０を介してファクシミリゲートウェイ（Ａ、Ｂ）１０４、１０８と接続される。ファクシミリ装置（Ａ）１００が発呼側であれば、ファクシミリ装置１００はＰＳＴＮ１０２経由でゲートウェイ１０４を発呼する。
【０００５】
ゲートウェイ（エミッティングゲートウェイ）１０４は、ＴＣＰ（またはＵＤＰ）／ＩＰコネクションゲートウェイ（レシービングゲートウェイ）１０８とコネクションを形成する。ゲートウェイ１０８は、何らかの方法でファクシミリ装置１００〜ゲートウェイ１０４から通知された電話番号情報に基づきＰＳＴＮ１１０を介してファクシミリ装置（Ｂ）１１２を発呼し、呼を成立させる。以後、Ｇ３ファクシミリ信号をＩＦＰ（インターネットファクシミリプロトコル）にしたがいＴＣＰ（またはＵＤＰ）パケット中にカプセル化して交換する。
【０００６】
なお、現状の勧告Ｔ．３８では、（エミッティング）ゲートウェイ１０４にファクシミリ装置１１２の電話番号を通知するにはダブルダイアリングを行なう方法が記載されているにすぎず（勧告Ｔ．３８付録Ｂ．２．１）、また、（レシービング）ゲートウェイ１０８にファクシミリ装置１１２の電話番号を通知する技術仕様の細部は勧告化されていない（勧告Ｔ．３８付録Ｂ．２．２）。
【０００７】
図２および図３は、ＩＴＵ−Ｔ勧告Ｔ．３８によるインターネットファクシミリ通信の様子を示している。
【０００８】
図２、図３の符号２０１は画像を送信する送信側ファクシミリ装置（ここでは発呼側）、２０４は受信側ファクシミリ装置で、図１のファクシミリ装置１００および１１２のいずれかに相当する。
【０００９】
また、符号２０２はエミッティングゲートウェイ（送信側ゲートウェイ）、２０３はレシービングゲートウェイ（受信側ゲートウェイ）で、図１のゲートウェイ１０４および１０８のいずれかに相当する。これらのゲートウェイ装置はネットワークインターフェースおよびＰＳＴＮインターフェースを有する専用ファクシミリ装置として、あるいは同様の通信インターフェースを有するコンピュータシステムから構成することができる。
【００１０】
送信側ファクシミリ装置２０１とエミッティングゲートウェイ２０２、および受信側ファクシミリ装置２０４とレシービングゲートウェイ２０３の間で送受信されるファクシミリプロトコル信号は、図示のように通常のＧ３ファクシミリプロトコルのものと全く同様であり、これらの信号は図２、図３の中央部に示されるようにＩＦＰにしたがい、いわゆるＴ．３８パケットに変換され、ＴＣＰ（あるいはＵＤＰ）パケット中にカプセル化して交換される。
【００１１】
Ｔ．３８パケットは、ＴＹＰＥおよびＤＡＴＡの要素から構成される。ＤＡＴＡの部分は実際の信号の内容であるが、ＴＹＰＥにはＴ３０ＩＮＤ（Ｔ３０インジケータ）、信号の変調方式を示すＴ３０＿ＤＡＴＡ  ＴＹＰＥ、ＤＡＴＡとして送信される信号がＨＤＬＣフォーマットであることを示すためのＨＤＬＣ＿ＸＸＸなどがある（Ｔ．３８勧告７．２）。
【００１２】
このようにして、ＰＳＴＮインターフェースのみを有するファクシミリ装置であっても、これらをインターネットなどのＩＰ網を介して通信させることができ、従来必要であった国際通話料金などのコスト削減を期待でき、その場合、ファクシミリ装置１００、１１２としては旧来のＧ３ファクシミリ装置などをそのまま流用できる。また、通信事業者にこのようなゲートウェイを用いたビジネスのチャンスを提供できる可能性がある。
【００１３】
なお、ＩＴＵ−Ｔ勧告Ｔ．３８には、ゲートウェイだけではなく、ゲートウェイどうしで交換されるパケットを直接送受信できるインターネットファクシミリ装置（ＩＡＦ：Ｉｎｔｅｒｎｅｔ  Ａｗａｒｅ  Ｆａｘ  ｄｅｖｉｃｅ）１１２ａ（図１）も記載されている。このインターネットファクシミリ装置１１２ａは、直接、図２および図３に示したＩＦＰパケットを送受信し、ファクシミリ通信を行なう。
【００１４】
【発明が解決しようとする課題】
一方、ＩＴＵ−Ｔ勧告Ｔ．３０（１９９９年４月版）の表２には、上記のようなＩＴＵ−Ｔ勧告Ｔ．３８のリアルタイムインターネットファクシミリ通信機能の有無を、ＤＩＳ／ＤＣＳ／ＤＴＣ信号のＦＩＦのビット３により宣言することが記載されている。同ＩＴＵ−Ｔ勧告Ｔ．３０によれば、このビットを１にした場合は、ＣＩＡ、ＴＳＡ、あるいはＣＳＡ信号などを用いて自機のインターネットアドレス（あるいは電話番号）の情報を送信できる。
【００１５】
また、ＩＴＵ−Ｔ勧告Ｔ．３８（あるいはＴ．３０）には明示的に記載されていないが、勧告Ｔ．３８のリアルタイムインターネットファクシミリ通信を行なう場合には、当然ながらＩＰネットワークの部分で信号の遅延が生じる可能性があり、これを考慮して各種の手順信号を検出するためのタイマ長などを延長する制御を行なわなければならない。
【００１６】
したがって、上記のＤＩＳ／ＤＣＳ／ＤＴＣ信号のＦＩＦのビット３を調べ、各種の手順信号を検出するためのタイマ長を延長する制御を行なうかどうかを決定することが考えられる。たとえば、図９に示すように、受信機としてのファクシミリ装置１１２からゲートウェイ１０８、インターネット（ＩＰネットワーク）１０６、ゲートウェイ１０４を介して送信機としてのファクシミリ装置１００にＤＩＳ信号が送信される場合、ファクシミリ装置１００、１１２がいずれも上記のＤＩＳ／ＤＣＳ／ＤＴＣ信号のＦＩＦのビット３に関する制御をサポートする新型の装置であれば、このビットはそのままファクシミリ装置１００に伝達され、ファクシミリ装置１００はＤＣＳ信号のビット３を１にして返送するから、ファクシミリ装置１１２は信号検出タイマの延長などインターネット（ＩＰネットワーク）１０６における信号遅延を考慮した処理を行なうことができる。
【００１７】
ところが、図１０のように一方のファクシミリ装置、たとえばファクシミリ装置１００がＤＩＳ／ＤＣＳ／ＤＴＣ信号のＦＩＦのビット３に関する制御をサポートしない旧型の装置であったとすると、新型であるファクシミリ装置１１２からＦＩＦのビット３が１になっているＤＩＳ信号を受信しても、対応して返送するＤＣＳ信号ではＦＩＦのビット３を０にして送信してしまう。
【００１８】
これでは、ファクシミリ装置１１２は新型であっても信号検出タイマの延長などインターネット（ＩＰネットワーク）１０６における信号遅延を考慮した処理を行なうことができず、通信が途中でエラー終了したり、ファクシミリ装置１１２の製品の仕様によってはＤＣＳ信号のＦＩＦのビット３が０の場合は通信を断念してその場で通信をエラー終了させてしまう可能性がある。
【００１９】
このような問題は、図９、図１０のケースだけではなく、ゲートウェイの一方の側のファクシミリ装置がＤＩＳ／ＤＣＳ／ＤＴＣ信号のＦＩＦのビット３に関する制御を理解しない旧型の装置である場合には、ＤＩＳ／ＤＣＳ／ＤＴＣ信号のいずれの送受信においても発生しうる。
【００２０】
本発明の課題は上記の問題を解決し、ＩＴＵ−Ｔ勧告Ｔ．３８に記載のリアルタイムインターネットファクシミリプロトコルを利用して、新型、旧型にかかわらず通信をエラー終了させることなくファクシミリ装置を通信させることができるようにすることにある。
【００２１】
【課題を解決するための手段】
以上の課題を解決するために、本発明においては、ＩＴＵ−Ｔ勧告Ｔ.３８準拠のリアルタイムインターネットファクシミリ通信を行なうファクシミリゲートウェイ、その制御方法、およびその制御プログラムにおいて、相手ゲートウェイまたはファクシミリ装置からインターネットファクシミリプロトコルまたはＧ３手順により受信した手順信号のリアルタイムインターネットファクシミリ通信のサポートの有無に関するビットをリアルタイムインターネットファクシミリ通信のサポート有りの状態に強制的に変換した上、Ｇ３手順またはインターネットファクシミリプロトコルによりファクシミリ装置または相手ゲートウェイに送信する構成を採用した。
【００２２】
あるいはさらに、前記手順信号がＤＩＳ／ＤＣＳ／ＤＴＣ信号のいずれかであり、前記リアルタイムインターネットファクシミリ通信のサポートの有無に関するビットが当該信号のＦＩＦのビット３である構成を採用した。
【００２３】
【発明の実施の形態】
以下図面に示す実施形態に基づき本発明を詳細に説明する。
【００２４】
本発明においては、図１１に示すように、ゲートウェイの一方の側のファクシミリ装置がＤＩＳ／ＤＣＳ／ＤＴＣ信号のＦＩＦのビット３に関する制御を理解しない旧型の装置である（図１１の場合ファクシミリ１００）場合を考慮して、ＤＩＳ／ＤＣＳ／ＤＴＣ信号などの送受信において、ゲートウェイ１０４およびゲートウェイ１０８がファクシミリ装置１００および１１２、およびインターネット（ＩＰネットワーク）１０６側から受信したＤＩＳ／ＤＣＳ／ＤＴＣ信号のＦＩＦのビット３を強制的に１に変換してファクシミリ装置１００および１１２に送信する。
【００２５】
図４は本発明を採用したファクシミリゲートウェイ装置の構成を示している。図４の装置は、ファクシミリ装置と接続するためのＰＳＴＮインターフェースと、インターネット（ＩＰネットワーク）に接続するためのネットワークインターフェースを有し、ＰＳＴＮインターフェース側のファクシミリ装置とはＧ３ファクシミリ手順により通信し、インターネット（ＩＰネットワーク）を介して相手のファクシミリゲートウェイと通信する装置である。図４の装置は、エミッティングゲートウェイまたはレシービングゲートウェイとして動作する。
【００２６】
図４において符号２は、ＮＣＵ（網制御装置）で、電話網をデータ通信等に使用するためにその回線２ａの端末に接続し、電話交換網の接続制御を行ったり、データ通信路への切り換えを行ったり、ループの保持を行なうためのものである。また、ＮＣＵ２は、バス２６からの制御に基づき電話回線２ａをオープンに（ＣＭＬオフ）したり、電話回線２ａをファクシミリゲートウェイ装置側に接続（ＣＭＬオン）する制御を行なう。なお、通常状態では電話回線２ａは、オープンである。
【００２７】
符号６は、ハイブリット回路であり、送信系の信号と受信系の信号とを分離し、加算回路１２からの送信信号をＮＣＵ２経由で電話回線２ａに送出し、相手側からの信号をＮＣＵ２経由で受取り、信号線６ａ経由で復調器８に送る。
【００２８】
符号８は、変復調器であり、ＩＴＵ−Ｔ勧告Ｖ．８、Ｖ．２１、Ｖ２７ｔｅｒ、Ｖ．２９、Ｖ．１７、Ｖ．３４に基づいた変調及び復調を実行可能な変復調器であり、バス２６から制御することによりこれらの各伝送モードを選択できる。変復調器８は、バス２６からの送信信号を入力し、変調データを信号線８ａに出力し、信号線６ａに出力されている受信信号を入力し、復調データをバス２６に出力する。
【００２９】
符号１０は、発呼回路であり、バス２６からの信号により、電話番号情報を入力し、信号線１０ａにＤＴＭＦの選択信号を出力する。符号１２は、加算回路であり、信号線８ａの情報と信号線１０ａの情報を入力し、加算した結果を信号線１２ａに出力する。
【００３０】
符号２から１２のブロックは電話回線２ａ（ＰＳＴＮ回線１）と接続するための回線インターフェース（１）３０を構成する。本実施形態では、この他に回線インターフェース（１）３０と同様に構成された電話回線（ＰＳＴＮ回線２）１４ａと接続するための回線インターフェース（２）１４、および電話回線（ＰＳＴＮ回線３）１６ａと接続するための回線インターフェース（３）１６が設けられ、これらの回線インターフェースの接続制御はバス２６を介してＣＰＵ２２により実行される。
【００３１】
符号１８は、メモリ回路であり、メモリ（ＲＡＭ)などの記憶素子から構成され、ワーク用領域として、また、読取り画像データの生情報、あるいは、符号化した情報を格納したり、また、受信情報、あるいは、復号化した情報等をバス２６を介して格納するために使用する。
【００３２】
符号２０は、ネットワークカードであり、信号線２８ａを介して、インターネットに接続される。ネットワークのハードウェアアーキテクチャは任意であるが、ネットワークカード２０はたとえばイーサネットインターフェースカードなどから構成される。
【００３３】
符号２２は、ＣＰＵ（中央処理装置）であり、ファクシミリゲートウェイ全体を制御するとともに、ファクシミリ装置とのファクシミリ伝送制御手順、また、ゲートウェイ間での通信手順などを実行する。ＣＰＵ２２の制御プログラムはＲＯＭ２４に格納される。ＣＰＵ２２はバス２６を介して上記の各ブロックと接続される。
【００３４】
符号２４はＲＯＭであり、図１１に示した通信制御を実行するためのＣＰＵ２２の制御プログラムが格納されている。
【００３５】
次に上記構成における動作につき説明する。図５〜図８に図４の構成における通信制御手順を示す。図示の手順はＣＰＵ２２の制御プログラムとしてＲＯＭ２４に格納される。
【００３６】
図５において、ステップＳ０は電源投入やリセットに基いて開始される処理の始めを表わしている。
【００３７】
ステップＳ２は、バス２６を介して、メモリ１８をイニシャライズすることを表わしている。
【００３８】
ステップＳ４では、回線１、２、３のすべてのＣＭＬ（ＣＭＬ１、２、３)をオフする。
【００３９】
ステップＳ６では、ＰＳＴＮからの受信（着呼）があるか否かを判断し、ＰＳＴＮからの受信を検出している場合はステップＳ１２へ、ＰＳＴＮからの受信を検出していない場合はステップＳ８に進む。
【００４０】
ステップＳ８では、ネットワークカード２０を介してＩＰネットワーク側から他のゲートウェイの接続要求があったか否かを判定する。他のゲートウェイの接続要求があった場合には相手のゲートウェイとの間にＴＣＰ（あるいはＵＤＰ）コネクションを確立し、図７のステップＳ５４に進む。他のゲートウェイからの接続要求がない場合にはステップＳ１０に進み、その他の処理を実行する。
【００４１】
ステップＳ６でＰＳＴＮからの受信を検出している場合（以下、回線２a（ＰＳＴＮ回線１）からの受信を例示する）、ステップＳ１２において、バス２６を介して回線インターフェース（１）３０の（ＮＣＵ２の）ＣＭＬリレーをオンとし、回線２ａをハイブリット回路６側に接続する。
【００４２】
以下、説明する動作は、エミッティング（画像送信側）ゲートウェイとしての動作である（ステップＳ５２まで）。
【００４３】
続いてステップＳ１４において、接続してきたファクシミリ装置（以下、このファクシミリ装置をＰＳＴＮ側ファクシミリ装置という）から相手先の電話番号を入力する。この時、ＰＳＴＮ側ファクシミリ装置のユーザはダブルダイアリングなどの操作を行ない、相手先のファクシミリ装置の電話番号を入力するものとする。本ゲートウェイでは、これによりトーン信号などによって伝送された相手先のファクシミリ装置の電話番号を入力し、ステップＳ１６において所定フォーマット（前述のようにこの電話番号を通知する技術仕様の細部は決定されていない）により相手ゲートウェイ（レシービング（画像受信側）ゲートウェイ）に通知する。
【００４４】
ステップＳ１８では、相手のゲートウェイからＩＦＰプロトコルによりＣＥＤＩｎｄ（ＣＥＤインジケータ）パケットを受信し、ステップＳ２０では受信したパケットに基づきＰＳＴＮ側ファクシミリ装置にＣＥＤ信号を送信する。
【００４５】
以後、同様に相手のゲートウェイからＩＦＰプロトコルにより受信した信号をＧ３プロトコルの所定の変調信号に変換してＰＳＴＮ側ファクシミリ装置に送信し、ＰＳＴＮ側ファクシミリ装置から受信した信号は相手のゲートウェイにＩＦＰプロトコルを用いて送信する。以下ではこのプロトコル変換については、煩雑さを避けるため特に必要な場合を除きいちいち説明しない。また、フローチャート中の各ステップ横に示した「→ＦＡＸ」、「←ＧＷ」のような表記は信号の送受信方向を示す。
【００４６】
ステップＳ２２では、相手ゲートウェイからＩＦＰに基づきＣＳＩ／ＤＩＳパケット（ＨＤＬＣ構成）を受信し、続いて図６のステップＳ２４において、受信したＣＳＩ／ＤＩＳ情報をアナログ手順信号に変換して送信するが、この際、受信したＤＩＳ信号のＦＩＦのビット３の値に拘らずＤＩＳ信号のＦＩＦのビット３を１にしてＣＳＩ／ＤＩＳ信号をファクシミリ装置に送信する。すなわち、ＤＩＳ信号のＦＩＦのビット３は前記のように、ＩＴＵ−Ｔ勧告Ｔ.３８に基づいたファクシミリ受信機能の有無を示すもので、この処理は受信したＤＩＳ信号のＦＩＦのビット３を強制的に１にしてＰＳＴＮ側ファクシミリ装置に送信することを意味する。
【００４７】
ステップＳ２６では、ＰＳＴＮ側ファクシミリ装置からＴＳＩ／ＤＣＳ信号を受信する。
【００４８】
ステップＳ２８では、受信したＴＳＩ／ＤＣＳ信号に対して、強制的にＤＣＳ信号のＦＩＦのビット３を１に変更した上（つまりＩＴＵ−Ｔ勧告Ｔ.３８に基づいたファクシミリ送信を指定して）、ＴＳＩ／ＤＣＳパケットをＩＦＰに基づき相手ゲートウェイに送信する。
【００４９】
ステップＳ３０では、ファクシミリ装置からのトレーニング／ＴＣＦ信号を受信する。これにより相手ゲートウェイと相手ファクシミリ装置の間でトレーニングが行なわれ、トレーニングが成功した場合にはＣＦＲパケットが相手ゲートウェイから送信されてくる。
【００５０】
ステップＳ３２では、このＣＦＲ信号をＩＦＰにより受信し、ステップＳ３４においてＰＳＴＮ側ファクシミリ装置にアナログ変調信号としてＣＦＲ信号を送信する。
【００５１】
ステップＳ３６では、ファクシミリ装置からアナログ変調された画信号を受信し、ステップＳ３８では、ＩＦＰにより相手ゲートウェイに画信号を送信する。相手ゲートウェイ〜相手ファクシミリ装置間では再度アナログ変調信号に変換された画信号が送受信される。
【００５２】
なお、本実施形態では説明を簡単にするため原稿画像１枚の送受信のみを例示するものとする。
【００５３】
ステップＳ４０では、ＰＳＴＮ側ファクシミリ装置からアナログ変調されたＰＰＳ−ＥＯＰ信号を受信し、ステップＳ４２では、ＩＦＰによりゲートウェイにＰＰＳ−ＥＯＰ信号を送信する。これに応じて相手ファクシミリ装置は受信した画信号が正常であればＭＣＦ信号を送信し、ＩＦＰによりこの信号が相手ゲートウェイから送信される。
【００５４】
ステップＳ４４では、相手ゲートウェイからＩＦＰによりＭＣＦパケットを受信し、ステップＳ４６では、ＰＳＴＮ側ファクシミリ装置に受信したＭＣＦ信号を送信する。
【００５５】
ステップＳ４８では、ファクシミリ装置からアナログ変調されたＤＣＮ信号を受信し、これに応じて図７のステップＳ５０では、相手ゲートウェイにＩＦＰによりＤＣＮ信号を送信し、ステップＳ５２では、バス２６を介して、回線インターフェース（１）３０のＮＣＵ２のＣＭＬリレーをオフに制御し、電話回線２ａを開放し、図５のステップＳ６に戻る。
【００５６】
一方、図５のステップＳ８において他のゲートウェイの接続要求があった場合は、ステップＳ５４においてバス２６を介して回線インターフェース（１）３０のＮＣＵ２のＣＭＬリレーをオンに制御し、電話回線２ａと接続する。
【００５７】
以下説明する動作は、レシービング（画像受信側）ゲートウェイとしての動作である。
【００５８】
ステップＳ５６ではゲートウェイから相手先の電話番号を入力し（前述のようにこの電話番号を通知する技術仕様の細部は決定されていない）、ステップＳ５８では、この指定されたＰＳＴＮ側ファクシミリ装置を発呼する。
【００５９】
ステップＳ６０では、ＰＳＴＮ側ファクシミリ装置からアナログ変調されたＣＥＤ信号を受信し、ステップＳ６２においてＩＦＰにより相手ゲートウェイ（エミッティングゲートウェイ）へＣＥＤＩｎｄを送信する。
【００６０】
ステップＳ６４では、ＰＳＴＮ側ファクシミリ装置からアナログ変調されたＣＳＩ／ＤＩＳ信号を受信し、ステップＳ６６において、（ステップＳ２２、Ｓ２８におけるのと同様）受信したＣＳＩ／ＤＩＳ信号のＤＩＳ信号のＦＩＦのビット３に拘らずＤＩＳ信号のＦＩＦのビット３を強制的に１に変換してＩＦＰによりＣＳＩ／ＤＩＳ信号をゲートウェイに送信する。
【００６１】
図８のステップＳ６８では、（ステップＳ２２、Ｓ２８、Ｓ６４と同様）相手ゲートウェイからＩＦＰによりＴＳＩ／ＤＣＳパケットを受信し、ステップＳ７０では受信したＴＳＩ／ＤＣＳパケットに対して、ＤＣＳ信号のＦＩＦのビット３を強制的に１に変換する処理を加えた上、ＴＳＩ／ＤＣＳ信号をＰＳＴＮ側ファクシミリ装置に送信する。
【００６２】
ステップＳ７２では、相手ゲートウェイから受信したトレーニング／ＴＣＦパケットに基づきＰＳＴＮ側ファクシミリ装置にトレーニング／ＴＣＦ信号を送信する。
【００６３】
ステップＳ７４では、ＰＳＴＮ側ファクシミリ装置からアナログ変調されたＣＦＲ信号を受信し、ステップＳ７６では相手ゲートウェイにＩＦＰによりＣＦＲ信号を送信する。
【００６４】
ステップＳ７８では、相手ゲートウェイからＩＦＰにより画信号パケットを受信し、ステップＳ８０においてＰＳＴＮ側ファクシミリ装置に受信した画信号データをアナログ変調して送信する。
【００６５】
ここでは前述同様に１ページのみの送受信を行ない、相手ゲートウェイからＩＦＰにより画信号パケットに続いてＰＰＳ−ＥＯＰパケットが送信されるものとする。
【００６６】
ステップＳ８２では、相手ゲートウェイからＰＰＳ−ＥＯＰパケットを受信し、この内容をステップＳ８４においてＰＳＴＮ側ファクシミリ装置にアナログ変調したＰＰＳ−ＥＯＰ信号として送信する。
【００６７】
ステップＳ８６では、ＰＳＴＮ側ファクシミリ装置からアナログ変調されたＭＣＦ信号を受信し、ステップＳ８８においてＩＦＰによりＭＣＦ信号を相手ゲートウェイに送信する。
【００６８】
ステップＳ９０では、相手ゲートウェイからＩＦＰによりＤＣＮパケットを受信し、ステップＳ９２ではこれに応じてＰＳＴＮ側ファクシミリ装置にアナログ変調されたＤＣＮ信号を送信する。
【００６９】
以上説明したように、本実施形態によれば、エミッティングおよびレシービングゲートウェイＩＴＵ−Ｔ勧告Ｔ.３８のリアルタイムインターネットファクシミリ通信において、同通信のサポートを宣言するＤＩＳおよびＤＣＳ信号のＦＩＦのビット３を受信した同ビットの状態に拘らず強制的に１にしてファクシミリ装置と授受するようにしているので、ゲートウェイにより中継された当該のビットを受信するファクシミリ装置はＩＰネットワーク経由の伝送を考慮し各種の手順信号を検出するためのタイマ長を延長するなどの制御を実行することができ、ＩＴＵ−Ｔ勧告Ｔ．３８に記載のリアルタイムインターネットファクシミリプロトコルを利用して、新型、旧型にかかわらず通信をエラー終了させることなくファクシミリ装置を通信させることができる、という優れた効果がある。
【００７０】
以上の実施形態では、１つのゲートウェイは、インターネット側から受信したＤＩＳ／ＤＣＳパケットのＦＩＦのビット３、およびＰＳＴＮ側から受信したＤＩＳ／ＤＣＳ信号のＦＩＦのビット３の双方を強制的に１に変換しているが、インターネット側から受信したＤＩＳ／ＤＣＳパケットのＦＩＦのビット３、またはＰＳＴＮ側から受信したＤＩＳ／ＤＣＳ信号のＦＩＦのビット３のいずれか一方のみの変換を行なうだけでも片道方向については上記同様の効果を期待できる。たとえば、中継されてきたＤＩＳ／ＤＣＳ信号を最終的に受信するファクシミリ装置が当該のＤＩＳ／ＤＣＳ信号のＦＩＦのビット３を解釈しない旧型の装置である場合は上記と全く同等の効果となる。
【００７１】
また、以上の実施形態では、説明を簡単にするためにＤＩＳ／ＤＣＳ信号のＦＩＦのビット３を例示しているが、ＤＴＣ信号のＦＩＦのビット３についても全く同じ制御が可能であり、同様の効果を期待できるのはいうまでもない。
【００７２】
また、上述のように本実施形態のゲートウェイ装置はネットワークインターフェースおよびＰＳＴＮインターフェースを有する専用ファクシミリ装置として、あるいは同様の通信インターフェースを有するコンピュータシステムから構成することができる。本実施形態のゲートウェイ装置の制御プログラムはあらかじめＲＯＭ２４に格納しておく他、他の任意のコンピュータ読み取り可能な媒体を介してゲートウェイ装置に供給することができる。
【００７３】
なお、ＩＴＵ−Ｔ勧告Ｔ．３８に記載のリアルタイムインターネットファクシミリプロトコルは細部に未定の部分が多数あり、リアルタイムインターネットファクシミリ通信のサポートの有無に関するビットを含む手順信号が増減、あるいは変更されたり、そのビット位置が変更される可能性があるが、本発明の技術は上述のこのような手順信号およびそのビット位置が上述のＤＩＳ／ＤＣＳ／ＤＴＣ信号のＦＩＦのビット３から変更されてもその変更後の手順信号およびそのビット位置について実施できるのはいうまでもない。要は、相手ゲートウェイまたはファクシミリ装置からインターネットファクシミリプロトコルまたはＧ３手順により受信した手順信号のリアルタイムインターネットファクシミリ通信のサポートの有無に関するビットをリアルタイムインターネットファクシミリ通信のサポート有りの状態に強制的に変換した上、Ｇ３手順またはインターネットファクシミリプロトコルによりファクシミリ装置または相手ゲートウェイに送信すればよいのである。
【００７４】
【発明の効果】
以上から明らかなように、本発明によれば、ＩＴＵ−Ｔ勧告Ｔ.３８準拠のリアルタイムインターネットファクシミリ通信を行なうファクシミリゲートウェイ、その制御方法、およびその制御プログラムにおいて、相手ゲートウェイまたはファクシミリ装置からインターネットファクシミリプロトコルまたはＧ３手順により受信した手順信号のリアルタイムインターネットファクシミリ通信のサポートの有無に関するビットをリアルタイムインターネットファクシミリ通信のサポート有りの状態に強制的に変換した上、Ｇ３手順またはインターネットファクシミリプロトコルによりファクシミリ装置または相手ゲートウェイに送信する構成を採用しているので、ゲートウェイにより中継された当該のビットを受信するファクシミリ装置はＩＰネットワーク経由の伝送を考慮し各種の手順信号を検出するためのタイマ長を延長するなどの制御を実行することができ、ＩＴＵ−Ｔ勧告Ｔ．３８に記載のリアルタイムインターネットファクシミリプロトコルを利用して、新型、旧型にかかわらず通信をエラー終了させることなくファクシミリ装置を通信させることができる、という優れた効果がある。
【図面の簡単な説明】
【図１】ＩＴＵ−Ｔ勧告Ｔ.３８に基づいたファクシミリ通信系の構成を示したブロック図である。
【図２】図１の構成における通信の様子を示した説明図である。
【図３】図１の構成における通信の様子を示した説明図である。
【図４】本発明を採用したファクシミリゲートウェイの構成を示したブロック図である。
【図５】図４の構成における通信制御手順を示したフローチャート図である。
【図６】図４の構成における通信制御手順を示したフローチャート図である。
【図７】図４の構成における通信制御手順を示したフローチャート図である。
【図８】図４の構成における通信制御手順を示したフローチャート図である。
【図９】従来のＩＴＵ−Ｔ勧告Ｔ.３８に基づいたファクシミリ通信系における問題点を示した説明図である。
【図１０】従来のＩＴＵ−Ｔ勧告Ｔ.３８に基づいたファクシミリ通信系における問題点を示した説明図である。
【図１１】本発明おけるＩＴＵ−Ｔ勧告Ｔ.３８に基づいたファクシミリ通信の概要を示した説明図である。
【符号の説明】
２  ＮＣＵ
６  ハイブリッド回路
８   変復調器
１０  発呼回路
１２  加算回路
１４  回線インターフェース（２）
１６  回線インターフェース（３）
１８  メモリ
２０  ネットワークカード
２２  ＣＰＵ
２４  ＲＯＭ
３０  回線インターフェース（１）
【図１】
0003740388.tif 000002
【図２】
0003740388.tif 000003
【図３】
0003740388.tif 000004
【図４】
0003740388.tif 000005
【図５】
0003740388.tif 000006
【図６】
0003740388.tif 000007
【図７】
0003740388.tif 000008
【図８】
0003740388.tif 000009
【図９】
0003740388.tif 000010
【図１０】
0003740388.tif 000011
【図１１】
0003740388.tif 000012